(57)【要約】【課題】  操作部材を機器本体に安定的に固定する。【解決手段】  操作部材１２は、中心軸Ｘを中心に上下に揺動する。これにより、突起片２６ａ、２６ｂのいずれか一方は、スイッチ接点部１７ａ、１７ｂのいずれか一方を押圧する。連結部材１８は、操作部材１２の両端部近傍を連結する。連結部材１８は固定部１９を有し、固定部１９は操作部材１２を機器本体に固定する。アーム部３１ａ、３１ｂは、固定部１９と操作部材１２の両端部近傍と、を接続する。アーム部３１ａ、３１ｂは、翼部３２ａ、３２ｂをそれぞれ有する。翼部３２ａ、３２ｂは、操作部材１２の揺動に合わせて変形する。【選択図】        図６
2005216808.tif 000002
【特許請求の範囲】
【請求項１】
長手方向の略中心にある揺動軸の周りに揺動し、第１および第２の揺動端を有する操作部材と、機器上に設けられ、前記操作部材が揺動することにより押圧される第１および第２のスイッチとを有するスイッチ機構であって、
前記操作部材の前記第１の揺動端近傍の側面部から前記第２の揺動端近傍の側面部へ向けて延出し、両側面部を連結する連結部材を備え、
前記連結部材は、前記揺動軸近傍に位置し、前記機器上に固定される固定部と、前記固定部から第１および第２の揺動端近傍に向かってそれぞれ延び、弾性変形可能な第１および第２のアーム部と、を有することを特徴とするスイッチ機構。
【請求項２】
前記第１および第２のアーム部は、前記揺動方向へ屈曲した弾性変形可能な屈曲部を有することを特徴とする請求項１に記載のスイッチ機構。
【請求項３】
前記屈曲部は、前記揺動方向に湾曲する円弧状を呈することを特徴とする請求項２に記載のスイッチ機構。
【請求項４】
前記第１および第２のアーム部それぞれは、前記固定部から延び操作部材の長手方向と平行に延びる翼部と、前記各揺動端近傍側面から前記揺動軸とほぼ平行な方向に延び前記翼部とほぼ直角に接続する接続部と、を有することを特徴とする請求項１に記載のスイッチ機構。
【請求項５】
前記翼部は、前記揺動方向へ屈曲した弾性変形可能な屈曲部が形成されることを特徴とする請求項４に記載のスイッチ機構。
【発明の詳細な説明】
【技術分野】
【０００１】
本発明は、携帯機器のスイッチ機構であって、例えばデジタルカメラの操作スイッチ機構に関する。
【背景技術】
【０００２】
例えば、電動ズームレンズが設けられたデジタルカメラには、例えば液晶モニタに写る被写体の倍率を大小させるために、２つのスイッチが設けられる。この２つのスイッチは、１つの操作部材によって覆われ、この操作部材のいずれか一方の端部が押されると、操作部材は上下方向に揺動し、いずれか一方のスイッチが押圧される。
【０００３】
操作部材の両端部近傍からは、従来それぞれアーム部が延ばされ、これらアーム部の先端には、操作部材をカメラ本体に固定させるための固定部がそれぞれ設けられる。ここでアーム部は、操作部材の上下方向の揺動に合わせて、ある程度変形させる必要があるので、ある程度の長さが必要である。したがって、操作部材をカメラ本体に固定するためには、ある程度のスペースが必要である。
【０００４】
しかし、近年、デジタルカメラのような携帯機器は、小型化され、操作部材を固定するためのスペースを十分に確保することが困難になりつつある。したがって、例えば操作部材の一方の端部の近傍のみにアーム部を設ける構成が考えられるが、このような構成によれば、操作部材の安定性を十分に確保することは困難である。
【発明の開示】
【発明が解決しようとする課題】
【０００５】
そこで、本発明は、以上の問題点に鑑みて成されたものであり、固定するために大きなスペースが必要とされず、またカメラ等の機器に安定して固定されるスイッチ機構を提供することを目的とする。
【課題を解決するための手段】
【０００６】
本発明に係るスイッチ機構は、長手方向の略中心にある揺動軸の周りに揺動し、第１および第２の揺動端を有する操作部材と、機器上に設けられ、操作部材が揺動することにより押圧される第１および第２のスイッチとを有するスイッチ機構であって、操作部材の第１の揺動端近傍の側面部から第２の揺動端近傍の側面部へ向けて延出し、両側面部を連結する連結部材を備え、連結部材は、揺動軸近傍に位置し、機器上に固定される固定部と、固定部から第１および第２の揺動端近傍に向かってそれぞれ延び、弾性変形可能な第１および第２のアーム部と、を有することを特徴とする。
【０００７】
第１および第２のアーム部は、揺動方向へ屈曲した弾性変形可能な屈曲部を有することが好ましく、さらに好ましくは、屈曲部は、揺動方向に湾曲する円弧状を呈する。
【０００８】
第１および第２のアーム部それぞれは、固定部から延び操作部材の長手方向と平行に延びる翼部と、各揺動端近傍側面から揺動軸とほぼ平行な方向に延び翼部とほぼ直角に接続する接続部と、を有することが好ましく、さらに好ましくは、翼部は、揺動方向へ屈曲した弾性変形可能な屈曲部が形成される。
【発明の効果】
【０００９】
本発明は、操作部材の揺動端近傍を連結部材で連結させ、この連結部材に操作部材を固定させるための固定部を設けることにより、少ないスペースで安定的に操作部材を機器本体に固定させることができる。
【発明を実施するための最良の形態】
【００１０】
以下本発明に係る実施形態を図１〜図６を用いて詳細に説明する。
【００１１】
図１は、本実施形態に係るデジタルカメラの背面図を示す。図２は、外観カバー３０（図３，４参照）が取り外されたデジタルカメラ１０の部分斜視図を示す。デジタルカメラ１０において、液晶モニタ１１に映し出される被写体や画像は、操作部材１２の操作面２６が押されることによって、ズームレンズ（図示せず）が駆動されてその撮影倍率が変更される。
【００１２】
操作部材１２は、長手方向に延び、長手方向の中心位置を中心に上下に揺動するレバー部材である。操作部材１２において、操作面２６の図中右側の望遠操作片１３が押されれば、望遠操作片１３が沈むとともに、操作面２６の左側の広角操作片１４が浮くことにより、望遠操作片１３の下側に設けられたスイッチのオン入力がなされ、被写体等の倍率は大きくなる。また、操作面２６の図中左側の広角操作片１４が押されれば、同様に被写体等の倍率は小さくなる。
【００１３】
デジタルカメラ１０のカメラ本体１５上には、プリント基板１６、スイッチシート１７が順に取り付けられ、操作部材１２は、このスイッチシート１７上に設けられる。操作部材１２において、操作面２６は下面側に設けられた鍔部２５から立ち上げられる。
【００１４】
鍔部２５の外周面２５ａ、すなわち操作部材１２の側面であって、操作部材１２の両端部近傍は、連結部材１８によって連結される。連結部材１８はネジ２０によって、カメラ本体１５に固定される。
【００１５】
図１におけるIII−III線に沿った部分断面図を図３に示す。図３に示すように、カメラ本体１５に取り付けられたスイッチシート１７には、第１および第２のスイッチ接点部１７ａ、１７ｂが設けられ、これら２つのスイッチ接点部１７ａ、１７ｂを覆うように、操作部材１２が設けられる。
【００１６】
操作部材１２の長手方向Ｙの中心位置であって、操作部材１２の下面からは、幅方向Ｚ（図４参照）の全幅に亘って突起２１が突出し、突起２１は、スイッチシート１７上に当接する。操作部材１２の下面からは、さらに突起２１に関して対称の位置であって、操作部材の長手方向両端部近傍には、第１および第２の突起片２６ａ、２６ｂがそれぞれ突出する。第１および第２の突起片２６ａ、２６ｂは、それぞれ第１および第２のスイッチ接点部１７ａ、１７ｂの中心に当接する。操作部材１２を何も操作しない状態においては、操作部材１２は中立位置を保ち、第１および第２のスイッチ接点部１７ａ、１７ｂともオフ状態が維持されている。
【００１７】
操作部材１２の望遠操作片１３が押されると、操作部材１２は、中立位置から、突起２１のシート１７との当接部２１ａを含む中心軸Ｘ周りに回転し、第１の突起片２６ａが下側に変位するとともに、第２の突起片２６ｂが上側に変位する。これにより、第１の突起片２６ａによって第１のスイッチ接点部１７ａが押圧されて接地電位になり、スイッチのオン入力がされる。また、広角操作片１４が押された場合も同様に、第２の突起片２６ｂが下側に変位し、第２のスイッチ接点部１７ｂが押圧されて、スイッチのオン入力がされる。
【００１８】
すなわち、望遠操作片１３または広角操作片１４が押されることにより、操作部材１２は、当接部２１ａを支点（揺動中心）として中心軸Ｘ周りに上下方向に揺動する。そして、第１または第２のスイッチ接点部１７ａ、１７ｂは、揺動端に設けられた第１または第２の突起片２６ａ、２６ｂによって押圧される。なお、スイッチ接点部１７ａ、１７ｂは、メタルドームによって形成される。
【００１９】
図１におけるIV−IV線に沿った部分断面図を図４に示す。図４に示すように、カメラ本体１５には、孔が設けられた外観カバー３０が取り付けられ、この孔から操作部材１２のボタン部２６が突出する一方、鍔部２５は外観カバー３０によって覆われる。したがって、操作部材１２の揺動が大きくなりすぎた場合、鍔部２５が外観カバー３０に当接し、この揺動は停止させられる。
【００２０】
図５は操作部材１２を上方から見たときの平面図を、図６は操作部材１２の側面図を示す。上述したように操作部材１２は連結部材１８を有し、連結部材１８は、２つの揺動端近傍（第１および第２の突起片２６ａ、２６ｂの近傍）の外周面２５ａであって、中心軸Ｘに対して２つの揺動端より外側の位置を連結する。連結部材１８は、一体的に成形され、第１および第２のアーム部３１ａ、３２ｂと、固定部１９を有する。第１のアーム部３１ａと第２のアーム部３１ｂは、それぞれ第１の接続部３３ａ、および第１の翼部３２ａと、第２の接続部３３ｂおよび第２の翼部３２ｂを有する。
【００２１】
固定部１９は、操作部材１２の長手方向略中央部（中心軸Ｘ）に位置する。第１の翼部３２ａおよび第２の翼部３２ｂは、固定部１９から互いに反対方向に操作部材１２の長手方向Ｙに沿ってそれぞれ延出する。第１および第２の翼部３２ａ，３２ｂの一部は、操作部材１２の揺動方向に円弧状に屈曲した形状をなしている。
【００２２】
図５に示すように第１および第２の接続部３３ａ、３３ｂは中心軸Ｘに関し対称に設けられる。第１および第２の接続部３３ａ、３３ｂは、側面２５ａから中心軸Ｘとほぼ平行方向に延び、それぞれ第１および第２の翼部３２ａ、３２ｂに直角に接続される。すなわち、第１のアーム部３１ａと第２のアーム部３１ｂは、操作部材１２の長手方向と平行方向において、上方から見ると操作部材１２の望遠操作片１３及び広角操作片１４とほぼ同じ長さとなっている。
【００２３】
固定部１９には、中心軸Ｘを含み長手方向Ｙに対して略垂直である中心平面上にネジ２０（図２参照）を挿入するための挿入孔１９ｂが設けられる。連結部材１８、すなわち操作部材１２は、ネジ２０によって、カメラ本体１５に固定されている。
【００２４】
図６を用いて、操作部材１２の動作について説明する。図６の２点鎖線に示すように、広角操作片１４が押されると、操作部材１２が揺動し、操作部材１２の広角操作片１４側が沈み込む。ここで、第１の接続部３３ａは、中心軸Ｘ側に押され、第１のアーム部３１ａは、その長さが短くなるように変形する。
【００２５】
ここで、接続部３１ａがこの荷重に対して変形しないならば、広角操作片１４を押したとしても、操作部材１２の広角操作片１４側は充分に沈み込まない。しかし、本実施形態においては、第１の翼部３２ａは、円弧に形成されており、弾性変形可能である。したがって、荷重に対してアーム部３１ａの翼部３２ａが変形し、アーム部３１ａの長さ方向の距離は、図中に示すように距離ａから距離ｂに縮むので、操作部材１２の広角操作片１４側は容易に沈み込み、スイッチ接点部１７ａを容易に押圧することができる。
【００２６】
なお、広角操作片１４が沈み込むと、第２のアーム部３１ｂが上方へ変位するので、第２のアーム部３１ｂの長さ方向の距離は、図中に示すように距離ａから距離ｃに縮み、操作部材１２の望遠操作片１３側は容易に浮き上がることができる。
【００２７】
以上のように本実施形態においては、連結部材において固定部と揺動端との間を変形させることにより、カメラ本体に安定的に固定された操作部材を容易に揺動させることができる。
【００２８】
また、第１および第２の翼部３２ａ，３２ｂの円弧形状によれば、第１のアーム部３１ａと第２のアーム部３１ｂの、操作部材１２の長手方向における長さを実質的には操作部材１２よりも長く稼ぐことができ、弾性変形のし易さを向上させることができる。なお、円弧形状による厚み寸法は操作部材１２自身の厚み寸法で吸収されるので、操作部材１２は大型化されない。
【００２９】
なお、本実施形態において、スイッチは、スイッチ接点部１７ａ、１７ｂがシート上に形成されることにより構成されたが、スイッチは、例えばタクトスイッチであっても良い。
【図面の簡単な説明】
【００３０】
【図１】本発明の実施形態に係るデジタルカメラの背面図を示す。
【図２】外観カバーが取り外されたデジタルカメラの部分斜視図を示す。
【図３】図１においてIII−III線に沿った部分断面図を示す。
【図４】図１においてIV−IV線に沿った部分断面図を示す。
【図５】操作部材を上方から見たときの平面図を示す。
【図６】操作部材の側面図を示す。
【符号の説明】
【００３１】
１２  操作部材
１８  連結部材
１７ａ、１７ｂ  スイッチ接点部
３１ａ、３１ｂ  アーム部
１９  固定部
【図１】
2005216808.tif 000003
【図２】
2005216808.tif 000004
【図３】
2005216808.tif 000005
【図４】
2005216808.tif 000006
【図５】
2005216808.tif 000007
【図６】
2005216808.tif 000008